(57)【要約】  細長い継目に沿って互いに嵌合する閉鎖部材を含む磁気閉鎖システムが提供される。閉鎖部材は、細長い継目に沿って間隔をあけられる複数の磁性体対を備える。雌型部品の上側接触面が磁気吸引によって雄型部品の上側接触面に誘引される、たとえば、雄型部品および雌型部品が逆の極性で構成されて、その間に磁気吸引を提供するように、磁気部品は対応する対と整列される。このようにして、閉鎖システムは、意図しない分離を阻止する。
2017504456.tif 000002
【特許請求の範囲】
【請求項１】
外部筐体部と、前記外部筐体部の外壁の背後に受けられる磁石と、内部筐体部であって、前記磁石の背後に配設されて前記外部筐体部と前記内部筐体部との間に前記磁石を固定する内部筐体部とを有する雄型部品であって、複数の先枝を含む、雄型部品と、
筐体内で閉じられる磁石と、前記雄型部品の上部を受けるためのキャビティを画定する周辺隆起部とを有する雌型部品であって、複数の先枝を含む、雌型部品と
を備える、磁気閉鎖システム。
【請求項２】
前記雌型部品の前記周辺隆起部が、前記雌型部品の前記筐体の上に折りたたまれるフラップを介して取り付けられるリングによって画定される、請求項１に記載の磁気閉鎖システム。
【請求項３】
前記雄型部品および前記雌型部品の前記複数の先枝が、高分子材料から形成され、前記先枝が支持部材に穴をあけ、かつ前記支持部材と融合するように溶融される、請求項１に記載の磁気閉鎖システム。
【請求項４】
前記雌型部品が、外部筐体部と、前記外部筐体部の外壁の背後に受けられる前記磁石と、内部筐体部であって、前記磁石の背後に配設されて前記外部筐体部と前記内部磁石部分との間に前記磁石を固定する内部筐体部とを含む、請求項１に記載の磁気閉鎖システム。
【請求項５】
前記雌型部品の前記周辺隆起部が、前記雌型部品の前記筐体の上に折りたたまれるフラップを介して取り付けられるリングによって画定される、請求項４に記載の磁気閉鎖システム。
【請求項６】
複数の磁性体対であって、各対が前記雄型部品および前記雌型部品からなる、複数の磁性体対と、
細長い継目の第１の側に沿って配設される第１の閉鎖部材であって、前記細長い継目の前記第１の側に沿って間隔をあけられる前記磁性体対の部品を有する、第１の閉鎖部材と、
細長い継目の第２の側に沿って配設される第２の閉鎖部材であって、前記細長い継目の前記第２の側に沿って間隔をあけられる前記磁性体対の対応する部品を有し、それにより、前記磁気部品が対応する対と整列され、それにより、雌型部品の上側接触面が磁気吸引によって前記雄型部品の上側接触面に誘引される、第２の閉鎖部材と
を備える、請求項１に記載の磁気閉鎖システム。
【請求項７】
前記複数の磁性体対の前記雌型部品のそれぞれの前記周辺隆起部が、前記筐体の上に折りたたまれるフラップを介して取り付けられるリングによって画定される、請求項６に記載の磁気閉鎖システム。
【請求項８】
前記複数の磁性体対の前記雄型部品および前記雌型部品の前記複数の先枝が、高分子材料から形成され、前記先枝が支持部材に穴をあけ、かつ前記支持部材と融合するように溶融される、請求項６に記載の磁気閉鎖システム。
【請求項９】
外部筐体部と、前記外部筐体部の外壁の背後に画定される磁石区画と、内部筐体部であって、前記磁石区画の背後に配設されて前記外部筐体部と前記内部筐体部との間に磁石を固定する内部筐体部とを有する雄型部品であって、複数の先枝を含む、雄型部品と、
筐体内で磁石を受けるための磁石区画と、前記雄型部品の上部を受けるためのキャビティを画定する周辺隆起部とを画定する雌型部品であって、複数の先枝を含む、雌型部品と
を備える、磁気閉鎖システム。
【請求項１０】
前記雌型部品の前記周辺隆起部が、前記雌型部品の前記筐体の上に折りたたまれるフラップを介して取り付けられるリングによって画定される、請求項９に記載の磁気閉鎖システム。
【請求項１１】
前記雄型部品および前記雌型部品の前記複数の先枝が、高分子材料から形成され、前記先枝が支持部材に穴をあけ、かつ前記支持部材と融合するように溶融される、請求項９に記載の磁気閉鎖システム。
【発明の詳細な説明】
【技術分野】
【０００１】
関連出願の相互参照
本出願は、参照によって本明細書に組み込まれる、２０１４年１月２０日に出願の米国特許出願第６１／９２９，２６１号明細書の利益を主張する。
【０００２】
本発明は、概して、閉鎖システムに関するものであり、より詳細には、磁気閉鎖システムに関するものである。
【背景技術】
【０００３】
磁気閉鎖システムは、さまざまな用途で利用されており、迅速に固定する閉鎖を提供し、同時に、使用者からの最小限の干渉を必要とする。通常、そのような閉鎖は、閉鎖を維持するために、対向する部品間の磁気吸引に主としてまたは完全に依存する。
【０００４】
現在の手法は一般に効果的であるが、不足していることがある。たとえば、現在の磁気閉鎖は、不用意に開く可能性がある。さらに、現在の磁気閉鎖は、製造が高価となる可能性がある。
【発明の概要】
【発明が解決しようとする課題】
【０００５】
これらの懸念に対処する閉鎖システムの必要性が依然としてあることが理解されるべきである。本発明は、この必要性およびその他を満たす。
【課題を解決するための手段】
【０００６】
簡潔には、かつ一般論としては、複数の閉鎖システムを含み、細長い継目に沿ってパネルを互いに固定するために互いに嵌合することを含む、磁気閉鎖システムが提供される。閉鎖部材は、細長い継目に沿って間隔をあけられる複数の磁性体対を備える。雌型部品の上側接触面が磁気吸引によって雄型部品の上側接触面に誘引される、たとえば、雄型部品および雌型部品が逆の極性で構成されて、その間に磁気吸引を提供するように、磁気部品は対応する対と整列される。このようにして、閉鎖システムは、意図しない分離を阻止する。
【０００７】
より詳細には、例示的な実施形態において、閉鎖部材は、上面および下面を有する略平坦で細長い支持部材と、支持部材の上面に直線的に配設されて、取り付けられる複数の磁気部品とを含む。磁気部品のそれぞれは、支持部材の上面に面する下側と、支持部材の上面から離れた側を向く上側とを有し、各磁石は、反対の極性の上面を有する磁石と隣接する。支持部材の磁石の上面は、閉鎖を形成するように接合することができ、一方の支持部材の磁石が他方の支持部材の磁石に接合できる。
【０００８】
本発明と、従来技術を上回って達成された利点とを要約するために、本発明の特定の利点が、本明細書に記載されている。当然のことながら、必ずしもすべてのそのような利点が、本発明の任意の特定の実施形態によって実現できるわけではないことが理解されるべきである。したがって、たとえば、当業者は、本発明が、本明細書で教示または提案されるような他の利点を必ずしも実現することなく、本明細書に教示されるような１つの利点または利点の群を実現または最適化する方法で具現化または実行されてもよいことを認識するであろう。
【０００９】
これらの実施形態のすべては、本明細書に開示される本発明の範囲内であることが意図される。本発明のこれらおよび他の実施形態は、添付図面への参照を有する好ましい実施形態の以下の詳細な記述から、当業者には容易に明らかになるであろう。本発明は、開示される任意の特定の好ましい実施形態に限定されない。
【００１０】
ここで本発明の実施形態は、例示の目的のみで、以下の図面を参照して記載される。
【図面の簡単な説明】
【００１１】
【図１】本発明による磁気閉鎖システムの簡略化された斜視図であり、それぞれが閉鎖システムの閉鎖部材を有するパネルの対を示す。
【図２】図１の磁気閉鎖システムの部品の嵌合対の断面図であり、雄型部品上に配設される雌型部品を示す。
【図３】図２の雌型部品の底部斜視図である。
【図４】図２の雌型部品の上部斜視図である。
【図５】図２の雄型部品の底部斜視図である。
【図６】図２の雄型部品の上部斜視図である。
【図７】図２の雌型部品の立面図である。
【図８】図２の雄型部品の上面図である。
【図９】図８のリングＡ−Ａに沿った雌型部品の断面図である。
【図１０】図２の雄型部品の立面図である。
【図１１】図２の雄型部品の上面図である。
【図１２】図１１のリングＡ−Ａに沿った雄型部品の断面図である。
【図１３】本発明による雌型部品の別の実施形態の分解斜視図であり、雄型部品のまわりに配設されるリング部を備える。
【図１４】図１３の雌型部品の斜視図である。
【図１５】図１３の雄型部品の立面図である。
【図１６】図１３の雄型部品の底部斜視図である。
【図１７】図１３の雄型部品の上面図である。
【図１８】図１７のリングＡ−Ａに沿った雄型部品の断面図である。
【図１９】図１３の雄型部品の上部斜視図である。
【図２０】図１３の中で示されるリング部の上面図である。
【図２１】図２０のリングＡ−Ａに沿ったリング部の断面図である。
【図２２】図２０のリング部の底部斜視図である。
【図２３】図２０のリング部の上部斜視図である。
【発明を実施するための形態】
【００１２】
本出願は、本出願人の２０１３年３月１５日に出願の同時係属の米国特許出願第１３／８４２，４３８号明細書（「‘４３８出願」）を参照し、それはあらゆる目的のために参照によって組み込まれる。発明時に‘４３８出願および本出願の発明は所有されており、一般に所有され続ける。
【００１３】
ここで図面、特に図１および２を参照すると、細長い継目１０６に沿ってパネル１０４を互いに固定するために互いに嵌合する２つの閉鎖部材１０２を含む閉鎖システム１００が示される。閉鎖部材は、細長い継目に沿って間隔をあけられる複数の磁性体対１０８を備える。各磁性体対は、雌型部品１１０と雄型部品１１２とを含む（個別的および全体的に、「磁気部品」１１３とも呼ばれる）。２枚のパネル１０４を一緒に締結するために、雌型部品１１０の上側接触面１１６が磁気吸引によって雄型部品１１２の上側接触面１１８に誘引される、たとえば、雄型部品および雌型部品が逆の極性で構成されて、その間に磁気吸引を提供するように、磁気部品は対応する対１０８と整列される。閉鎖システム１００は、任意のさまざまな用途、たとえば、特に、衣類、寝袋、クッションカバー、枕カバー、枕、寝具、またはテントなどで使用することができる。
【００１４】
例示的な実施形態において、第１の閉鎖部材１０２は、すべての雌型部品１１０を備え、同時に、第２の閉鎖部材１０３は、対応する雌型部品と整列されるすべての雄型部品１１２を備える。他の実施形態において、部品の（磁性体）対１０８が第１の閉鎖部材１０２と第２の閉鎖部材１０３との間でそれぞれと整列される限り、雄型および雌型部品は、両方の閉鎖部材の間に分布させることができる。たとえば、代わりに、雄型および雌型部品を、各閉鎖部材１０２、１０３上で間隔をおいて配置することができる、すなわち、部品が１つおきに雄型部品と雌型部品との間で交互に切り換えられ、雄型部品が第１および第２の閉鎖部材に沿った雌型部品との間で整列される。
【００１５】
引き続き図１および２を参照すると、雄型１１２および雌型１１０の部品はそれぞれ、パネル１０４および／または支持部材１２２を貫通するように構成される複数の細長い先枝１２０を含む。例示的な実施形態において、閉鎖部材１０２、１０３は、磁気部品１１３とパネル１０４との間に配設される支持部材１２２を含む。
【００１６】
支持部材１２２は、特に布、織物、または柔軟な高分子物質などの可撓性材料の長手方向に延在するバンドとすることができる。磁気部品１１３は、支持部材１２２に取り付けられる。磁気部品の先枝１２０は、支持部材を貫通するが、しかし、接着剤などの追加の取付手段を使用して、磁気部品を支持部材に固定することができる。
【００１７】
支持部材１２２および磁気部品１１３によって、閉鎖部材１０２は連続ロール（図示せず）に配設することができ、その場合、その所望の長さは、磁石部品の間のロールの部分を切断することによって提供できる。そのような閉鎖部材は、所定の長さの離散片としても提供できる。閉鎖部材は、パネル１０４を連結する所望の位置に取り付けることによって、本明細書に記載される閉鎖システム１００を形成するために使用することができる。
【００１８】
他の実施形態において、磁気部品１１３は、磁気部品とパネル１０４との間に配設される支持部材１２２の有無にかかわらず、当該技術分野において公知の任意のさまざまな方法で取り付けることができる。たとえば、磁気部品は、接着剤によって直接付着させることができる。あるいは、磁気部品は、ケース１３０に固定することができ、次いで、パネルに縫合または他に機械的に取り付けることができる。さらに他の実施形態において、磁気部品は、定められた間隔でパネルに直接取り付け、支持部材を全面的に排除できる。
【００１９】
ここで図２を参照すると、雌型部品１１０は、筐体内に閉じられる磁石を備える。雌型部品は、雄型部品１１２の上部１１８を受けるためのキャビティ１３４を画定する周辺隆起部１３２を含む。より詳細には、キャビティは、雄型部品がキャビティ内に確実に受けられるように、雄型部品の上部１１８の直径よりわずかに大きい直径を有する。
【００２０】
閉鎖システム１００の磁石１０８は、円盤磁石とすることができ、磁石ケース１３０を支持部材１２２に取り付けるために、上面１１６  １１８から離れる方に延在する細長い先枝１２０の対を有するケース１３０に保持されることができ、先枝はケースの周辺に設置されている。磁石は、ネオジムから形成することができ、好ましくは、３６ＭＧＯｅ〜５２ＭＧＯｅの磁界強度を有し、より好ましくは、４２ＭＧＯｅの磁界強度を有する。磁石は、支持部材１２２上で互いから略等しい距離に配設することができる。
【００２１】
例示的な実施形態において、筐体１４０は、隆起部１４６と、外側壁１４８と、先枝１２０の外側部分１５０を画定する外部筐体部１４２とを含む（たとえば、図７〜９を参照）。磁性体は、キャビティ１３４の平坦な壁１３６の背後に配設される。例示的な実施形態において、磁石はキャビティの直径と同じ最少であるような直径を有する。内部筐体部１５６は磁石の背後に配設され、磁石区画１６０の壁１５８を形成する。内部筐体部は、図２に示されるように、先枝１２０の内側部分をさらに含むことができる。雌型部品１１０は、磁気吸引を可能とするさまざまな材料から形成することができる。例示的な実施形態において、外部筐体部１４２は、３１６ステンレス鋼などのステンレス鋼から形成される。内部筐体部１５６は、４４０ステンレス鋼などのステンレス鋼から形成され、それは、たとえば、衣類、自動車、船舶、家具、スポーツ用品、および履物などのさまざまな使用において有益である。他の実施形態において、筐体は、たとえば高分子材料などの他の材料から形成することができる。
【００２２】
雄型部品１１２は、筐体１６４によって画定される磁石区画内に配設される磁石を備え、それは、雌型部品１１０のキャビティ１３４内で受けられるように寸法決めされる外面１６２を画定する。これらの磁気部品１１３は、雄型部品がキャビティ内に受けられるように磁気的に付勢されるように、互いに磁気的に誘引されるように構成される。例示的な実施形態において、雄型部品の筐体１６４は、外面１６２を画定する外部筐体部１６６と、外側壁１６８と、先枝１７０の外側部分とを含む（たとえば、図１０〜１２を参照）。磁性体は、キャビティの平坦な壁の背後に配設される。内部筐体部１７２は磁石の背後に配設され、磁石区画１７４の壁を形成する。内部筐体部は、図２に示されるように、先枝の内側部分１７６をさらに含むことができる。例示的な実施形態において、雄型部品の外部筐体部１６６は、３１６ステンレス鋼などのステンレス鋼から形成される。雄型部品の内側筐体部１７２は、４４０ステンレス鋼などのステンレス鋼から形成される。
【００２３】
他の実施形態において、雄型および雌型部品の筐体は、高分子材料から形成することができる。組立時、先枝は、支持部材および／またはパネルに穴をあける。次いで、先枝および／または筐体の他の部分は、支持部材および／またはパネルと融合するように溶融される。たとえば、熱可塑性ウレタンが磁石の上にコーティングされる。
【００２４】
あるいは、支持部材またはパネルは、独立した構造で穴をあけることができ、その後、溶融ポリマーが、磁石が設置される構造上に供給される。結果として、磁石のための筐体は、ポリマーを硬化することによって形成することができる。結果として得られる筐体は、本明細書で論じられるように構成することができる。
【００２５】
部品（たとえば、磁石、筐体、支持部材、パネル、またはその他）を一緒に固定する際の支援のために、ホットメルト接着剤を提供できることにさらに留意されたい。たとえば、ホットメルト接着剤は、雄型部品（または、雌型部品）と支持構造体またはパネルとの間に配設することができ、それによって、布と磁性部品との間に機械的連結を形成する。
【００２６】
ここで図７〜９を参照すると、雌型部品１１０の筐体１４２の外側部分が示され、図１０〜１２に示される対応する雄型部品１１２と一致する例示的な実施形態の特定の寸法を含む。これらの寸法は、例示的なものであり、限定を意図しないように提供される。例示的な実施形態において、雌型部品１１２の周辺隆起部１３２は、キャビティ１３４を完全に制限する。他の実施形態において、隆起部１３２は、離間した部分を有することができる。それは、キャビティのまわりで連続的に延在する必要はない。部分は、キャビティのまわりで間隔をあけることができるが、それでもキャビティ内での雄型部品の固定に寄与する。
【００２７】
例示的な製造方法において、筐体１４２の外側部分は、形状が形成される材料の単一の半完成品から作製される。円盤形磁石が、キャビティ１３４の壁の背後に配設される。その後、内部筐体部１５６は、磁石の対向する側の背後に配設される。筐体の内側部分は、形状が形成される材料の単一の半完成品から作製される。
【００２８】
ここで図１３および１４を参照すると、本発明に従って、磁気部品の別の実施形態の雌型部品１１０および雄型部品１１２が示される。雄型部品は、外部筐体部１６６と、外部筐体部の外壁１６８の背後で受けられる円盤形磁石１８０と、磁石の背後に配設される内部筐体部１７２とを備える。雄型部品は、外壁１６８から延在する複数の先枝１２０を含む。雌型部品１１０は、雄型部品１１２のまわりにリング部１８４を設けることによって形成される。結果として得られる雌型部品で使用される磁石は、結果として得られる雄型部品の磁石とは逆の極性を有し、その間に磁気吸引を提供することに留意されたい。リング部は、円筒状の側壁１８８から延在するフラップ１８６を含む。フラップは、雄型部品の上部１１８を越えて延在するように寸法決めされ、その結果、内部筐体部１７２の背後に折りたたむことができ、所定の位置にリング部を固定する。
【００２９】
ここで図１５〜１９を参照すると、雄型筐体１６４の外側部分が示され、図１３の実施形態の特定の測定を含む。これらの寸法は例示的なものであり、限定を意図しないように提供される。リング部１８４は、雄型筐体１６４の上端に厳密に一致する直径を有する。
【００３０】
閉鎖システム１００（図１）での使用のために選択される磁石は、選択された物品の開口部を確実に閉じるのに十分な磁界強度を有する。たとえば、物品が衣服であるとき、磁石は、衣服の着用者による動きによる衣服、継目、および閉鎖システム１００にかけられる圧力にもかかわらず、閉鎖を維持しなければならない。磁石は好ましくは、継目が不意に離れないことを保証するために、一連の移動を通して接合され続け、その移動によって衣服に加えられる力に耐えなければならない。逆に、磁石は、パネルの分離などの閉鎖部の開放が、非常に困難または扱いにくくなるほど強くてはならない。
【００３１】
選択された実施形態において、閉鎖システムのための使用可能な磁石の例は、Ｃｏｒｒｅｌａｔｅｄ  Ｍａｇｎｅｔｉｃ  Ｒｅｓｅａｒｃｈ  ＬＬＣ製の商標名ＭａｘＦｉｅｌｄ（登録商標）およびＰｏｌｙｍａｇｎｅｔ（登録商標）として販売される磁石およびプログラムされた磁石を含むことができる。そのような磁石は、磁石の表面近くに、集中した磁束を提供することができる。多くの用途において、厚さ３／４×１／３２または３／４×１／１６を有する磁石が多くの場合に使用される。しかし、磁石の厚さおよび磁石の直径は、その用途によって変化してもよい。たとえば、磁石、たとえばネオジムは、多くの場合、円盤形状であるが、美学およびファッションために、正方形または矩形または独自に設計された形状でもよい。多くの場合、磁石は、グレードＮ４０で軸方向に磁化されるが、その使用の用途に応じて、使用されるネオジムの強度は上下してもよい。
【００３２】
本発明が特定の好ましい実施形態に関してかなり詳細に記載されたが、その他の実施形態が可能である。本方法のために開示されたステップは、たとえば、限定であることは意図されず、また、各ステップが方法にとって必然的に必須であることを示すことも意図されないが、その代わりに、例示的なステップであることのみ意図される。それゆえに、添付の特許請求の範囲は、本開示に含まれる好ましい実施形態の記述に限定されるべきではない。
【００３３】
本明細書における値の範囲の記載は、範囲内にあるそれぞれ独立した値に個々に言及する簡潔な方法としての機能を果たすことを単に意図しているにすぎない。本明細書で示されない限り、それぞれの個々の値は、それが本明細書に個々に列挙されるように本明細書に組み込まれる。本明細書のすべての引用文献は、参照によって完全に組み込まれる。
【００３４】
本発明が例示的な実施形態に関してのみ詳細に開示されたが、当業者は、さまざまな他の実施形態を本発明の趣旨を逸脱しない範囲で提供できることを理解するであろう。したがって、本発明は、以下に示される特許請求の範囲によってのみ定義される。
【図１】
2017504456.tif 000003
【図２】
2017504456.tif 000004
【図３】
2017504456.tif 000005
【図４】
2017504456.tif 000006
【図５】
2017504456.tif 000007
【図６】
2017504456.tif 000008
【図７】
2017504456.tif 000009
【図８】
2017504456.tif 000010
【図９】
2017504456.tif 000011
【図１０】
2017504456.tif 000012
【図１１】
2017504456.tif 000013
【図１２】
2017504456.tif 000014
【図１３】
2017504456.tif 000015
【図１４】
2017504456.tif 000016
【図１５】
2017504456.tif 000017
【図１６】
2017504456.tif 000018
【図１７】
2017504456.tif 000019
【図１８】
2017504456.tif 000020
【図１９】
2017504456.tif 000021
【図２０】
2017504456.tif 000022
【図２１】
2017504456.tif 000023
【図２２】
2017504456.tif 000024
【図２３】
2017504456.tif 000025
【国際調査報告】
2017504456.tif 000026